(57)【特許請求の範囲】
【請求項１】
走行玩具を走行させる軌道の下に予め定めた始動位置と停止位置との間を移動可能に配置された移動部材と、
前記移動部材を始動位置から停止位置まで移動させる付勢手段と、
前記走行玩具に取り付けた磁性体との間で引き合うように前記移動部材に装着された磁性体と、
前記移動部材が始動位置にあるとき互いに係合するように前記移動部材の下面と前記軌道の下方に設けた凸部及び凹部から成り、前記凸部と凹部の係合によって前記移動部材を始動位置に係止する係止手段とを具備し、
走行玩具が前記移動部材の上方に位置したとき、前記磁性体の吸引力で前記移動部材が上方に引き寄せられることにより前記凸部と凹部の係合が外れて前記移動部材の係止を解除し、前記付勢手段を作動させることにより前記移動部材を始動位置から停止位置まで移動させ、前記磁性体間に作用する吸引力により前記移動部材の上方に引き付けられた走行玩具を付勢して送り出すようにしたことを特徴とする走行玩具起動装置。
【請求項２】
前記付勢手段は、手動で空気圧を加減圧して空気を排出吸引する変圧手段と、前記軌道の下方に設置され前記変圧手段により空気を排出吸引されるシリンダと、前記変圧手段と前記シリンダとを繋ぐチューブとで構成され、前記移動部材は前記シリンダ内部に摺動自在に収納され且つピストンの働きをする隔壁板を有し、前記変圧手段により加圧された空気を前記シリンダ内に送り込むと、前記隔壁板の働きで前記移動部材が急速に前記停止位置に移動し、前記変圧手段により前記シリンダ内の空気を吸引すると、前記移動部材が前記始動位置に復帰するように構成した請求項１記載の走行玩具起動装置。
【請求項３】
前記凸部は前記移動部材の前端下面に設けられ、前記凹部は前記シリンダの前部に設けられている請求項２記載の走行玩具起動装置。
【発明の詳細な説明】
【０００１】
【発明の属する技術分野】
本発明は、人の操作で走行玩具を付勢して起動する走行玩具起動装置に関する。
【０００２】
【従来の技術】
一般に、モーターやゼンマイ等の動力源を持たない自動車等の形状の走行玩具を走行させるときは、床面等の上で玩具を手で押すようにしているが、手で押す代わりに、スプリングの弾力或いは空気の圧力を利用して走行玩具を前方に押し出すようにした起動装置が知られている。
【０００３】
しかしながら、スプリングを使用した起動装置は、走行玩具を付勢する力がスプリングによって決定されてしまうため、１回の操作で走行させる距離が限定されて変化に乏しく、しかも、スプリングが劣化したり変形したりすると、走行玩具をうまく押し出すことができなくなるという問題点があった。
【０００４】
一方、空気圧で走行玩具を押し出す従来の起動装置は、走行玩具の後部に凹部を設け、これに簡易な空気ポンプ型の加圧手段で加圧空気を送り込んで玩具を付勢しているが、玩具に凹部を設けたことで外観が損なわれるとともに、加圧空気が凹部から漏れるため効率が悪く、走行玩具を勢いよく付勢することが困難であった。このような問題点を解決するものとして、加圧空気発生手段からシリンダ内に加圧空気を送り込むことにより、ピストンを介して移動部材を始動位置から急速に移動させ、移動部材の前方に停止させた走行玩具を付勢して走行させるようにした走行玩具起動装置が考案され、実用新案登録されている（実公平４−８７２号）。
【０００５】
更にこの考案を発展させたものとして、走行玩具が軌道上の所定位置にある時のみ発進可能とすることにより、子供等が起動装置を空打ちするのを防止するとともに、起動装置を複数個設けた場合、走行玩具が位置する起動装置以外は発進操作ができないようにして安全性を高めたものが考案され、実用新案登録されている（実公平６−１７４９９号）。これは、走行玩具を走行させる軌道の下に予め定めた始動位置と停止位置との間を移動可能に配置された移動部材と、該移動部材を始動位置から停止位置まで移動させる付勢手段と、移動部材から軌道上に突出し、走行玩具を軌道上で停止させて保持する保持手段と、該走行玩具に取り付けた磁性体との間で引き合うように移動部材に装着された磁性体と、前記移動部材を始動位置に係止する係止手段とを具備し、係止手段は、走行玩具が該移動部材の上方に位置したとき該磁性体との間に作用する吸引力により移動部材の係止を解除する第１の係止部と、該付勢手段の作動で移動部材の係止を解除する第２の係止部とから成り、加圧空気発生手段からシリンダ内に加圧空気を送り込むことにより、ピストンを介して移動部材を始動位置から急速に移動させ、走行玩具を付勢して走行させるようにしたものである。
【０００６】
しかしこの走行玩具起動装置には係止部が２個所あり、また、走行玩具を軌道上に保持する手段として、移動部材から軌道上に突出した２つのレバーを備えるという複雑な構成であり、そのため製造に手間がかかるという問題点があった。
【０００７】
【発明が解決しようとする課題】
本発明は、このような走行玩具起動装置を改良し、走行玩具が軌道上の所定位置にある時のみ発進可能という特徴を失わずに、走行玩具の保持手段を無くし、係止部を１個所にすることで構造を簡略化し、容易に製造できる走行玩具起動装置を提供することを目的とする。
【０００８】
【課題を解決するための手段】
本発明の走行玩具起動装置は、走行玩具を走行させる軌道の下に予め定めた始動位置と停止位置との間を移動可能に配置された移動部材と、前記移動部材を始動位置から停止位置まで移動させる付勢手段と、前記走行玩具に取り付けた磁性体との間で引き合うように前記移動部材に装着された磁性体と、前記移動部材が始動位置にあるとき互いに係合するように前記移動部材の下面と前記軌道の下方に設けた凸部及び凹部から成り、前記凸部と凹部の係合によって前記移動部材を始動位置に係止する係止手段とを具備し、
走行玩具が前記移動部材の上方に位置したとき、前記磁性体の吸引力で前記移動部材が上方に引き寄せられることにより前記凸部と凹部の係合が外れて前記移動部材の係止を解除し、前記付勢手段を作動させることにより前記移動部材を始動位置から停止位置まで移動させ、前記磁性体間に作用する吸引力により前記移動部材の上方に引き付けられた走行玩具を付勢して送り出すようにしたことを特徴とする。
【０００９】
本発明において、付勢手段は、移動部材を始動位置から停止位置まで移動させるものであれば任意の構成で良いが、空気圧を利用したものが好適である。すなわち、前記付勢手段は、手動で空気圧を加減圧して空気を排出吸引する変圧手段と、前記軌道の下方に設置され前記変圧手段により空気を排出吸引されるシリンダと、前記変圧手段と前記シリンダとを繋ぐチューブとで構成され、前記移動部材は前記シリンダ内部に摺動自在に収納され且つピストンの働きをする隔壁板を有し、前記変圧手段により加圧された空気を前記シリンダ内に送り込むと、前記隔壁板が前記移動部材を押して急速に前記停止位置に移動させ、シリンダ内の空気を吸引すると前記移動部材を前記始動位置に復帰させるように構成することが望ましい。
【００１０】
また、前記係止手段を構成する凸部は移動部材の前端下面に設け、前記凹部は軌道の下方、例えば前記シリンダの前部に設けることが好ましい。
【００１１】
【作用及び効果】
本発明の走行玩具起動装置によれば、移動部材が係止手段の凸部と凹部の係合により始動位置に係止されている時、付勢手段を作動させても、移動部材はそのまま停止している。走行玩具が軌道上を走行して、或いは人の手で、移動部材の上方に位置すると、走行玩具の磁性体と移動部材の磁性体との間に作用する吸引力により、走行玩具は移動部材に引き付けられて軌道上に保持される。このとき、上記磁性体間の吸引力により、上記凸部と凹部の係合が外れて移動部材の係止が解除される。ここで付勢手段を作動させると、移動部材が始動位置から停止位置まで移動する。同時に、移動部材上方に引き付けられている走行玩具も軌道上で走行し始める。その後、移動部材が停止位置にて停止した時、軌道上を走行している走行玩具は磁性体間の吸引力を振り切って前方に送り出される。かくして、移動部材を始動位置から停止位置まで急速に移動させることにより、走行玩具を勢い良く発進させることができる。
【００１２】
この発進動作は、走行玩具と移動部材の磁性体が互いに吸引している（すなわち、移動部材の上方に位置している）ときでなければ行われないので、走行玩具が所定位置にないときに起動装置が作動する空打ちを防止することができる。
【００１３】
このように、本発明では、走行玩具が軌道上の所定位置にある時のみ発進可能という機能を持ちながら、前述した従来の起動装置におけるレバーのような保持手段を無くし、移動部材が始動位置にあるとき互いに係合する凸部と凹部で係止手段を構成したので、係止部も１個所で済み、構造が簡単になり、起動装置を容易に製造できるという効果が得られる。
【００１４】
また、付勢手段として、空気圧で作動するピストン・シリンダ機構を用いた場合には、変圧手段によりシリンダ内に送り込まれた加圧された空気で、ピストンの働きをする隔壁板を備えた移動部材を押して急速に移動させる。そして、変圧手段によってシリンダ内の空気を吸引して減圧させると移動部材は始動位置に復帰させることができる。
【００１５】
さらに、係止手段を構成する凸部は移動部材の前端下面に、凹部は上記シリンダの前部に設けることができる。
【００１６】
【発明の実施の形態】
図１は本発明の起動装置を組み込んだ走行盤２を含むレーシング玩具の全体を示す斜視図、図２は図１の走行盤２及びこれに接続した後述の付勢手段を上方から見た斜視図である。このレーシング玩具には、自動車形状の走行玩具Ａを走行させる軌道として、凹溝状の直線走行路３が４本（４車線３ａ，３ｂ，３ｃ，３ｄ）形成されている。本発明の起動装置１（図３）は、１つの走行盤２の下に４組収納されている。図１のレーシング玩具では、起動装置１を組み込んだ走行盤２が２個所にあるため、起動装置１は合計８組収納されている。
【００１７】
走行玩具Ａは、モーターやゼンマイ等の動力源を持たず、外力によって走るものであり、その底面には、図４に示すように磁石Ｂを装着している。
【００１８】
走行盤２では、後述のように起動装置１の移動部材２１（図５）を移動させる付勢手段として、手で押すと収縮して加圧空気を送出し、手を放すと空気を吸引して元の伸張状態に戻るベローズ４が使用される。図１及び図２に示すように、ベローズ４から延びたチューブ５は分岐部６で２本に分岐され、そのうち１本（チューブ７ａ）は、１つの走行盤２の各起動装置１（後述の始動位置側）へ、他方は同一車線に連なる他の走行盤２の各起動装置１へ接続されている。従って、遊戯者は、同一車線にある複数の起動装置１を１つのベローズ４で操作できる。しかし、走行玩具Ａが走行盤２の上方に位置しない時は、後述する係止手段により起動装置１は作動しない。ベローズ４を車線の数（図１では４個）だけ用意することで、走行盤２の下に収納された４個の起動装置１を個別に操作できる。
【００１９】
図１のレーシング玩具の構成によると、４人までの遊戯者が、各自手にしたベローズ４を操作し、各々の走行玩具Ａを各起動装置１により付勢しながら競争することができる。
【００２０】
図１のレーシング玩具では、４本の走行路３ａ，３ｂ，３ｃ，３ｄが形成されているが、各走行路３ａ，３ｂ，３ｃ，３ｄにそれぞれ起動装置１が設けられているので、以下では１走行路（１車線）のみ形成された走行盤２ａ（図３）に起動装置１が設けられるものとして、その構成で動作を説明する。
【００２１】
図３は１本の走行路３が形成された走行盤２ａを上下２つに分解した状態を上方から見た斜視図、図４は図３の走行盤２ａを下方から見た斜視図である。
【００２２】
起動装置１は、走行盤２ａの下方において予め定められた始動位置と停止位置の間で移動する移動体１１と、この移動体１１を内部で摺動自在に収納した箱状のガイド基盤１２と、このガイド基盤１２の底面に設けられた凹部１９及び移動体１１の底面に設けられた凸部２４からなる係止手段と、前述の付勢手段（図１）とで構成される。移動体１１の始動位置はガイド基盤１２内部においてチューブ７ａ又は７ｂが接続される側とし、停止位置はガイド基盤１２内部において他方の側とする。係止手段は、始動位置に位置した移動体１１を係止する。走行盤２ａの上面には走行路３を構成する凹溝が、下面にはガイド基盤１２を受け入れるガイド蓋１３が形成されている。図６〜図８に示すように、ガイド蓋１３内にガイド基盤１２を嵌め入れることにより、ガイド基盤１２の上面が閉じられ内部が密閉されるので、ガイド基盤１２の内部をシリンダ１４として機能させることができる。
【００２３】
図４に示すように、ガイド蓋１３の始動位置側の端面には前述のチューブ７ａ又は７ｂを接続するための突起１５が形成される。突起１５には、チューブ７ａからシリンダ１４へ空気を通すための穴１５ａが貫通している。ガイド蓋１３の停止位置側の端面には抜き穴１６が形成されている。一方、ガイド基盤１２の始動位置側と停止位置側の端面には、ガイド基盤１２とガイド蓋１３を合わせた時、ガイド蓋１３の穴１５ａ及び抜き穴１６と対応する位置に、抜き穴１７及び１８が形成される。
【００２４】
図５は移動体１１の分解図である。移動体１１は、移動部材２１と、４枚の隔壁板２２と、移動部材２１の後部に隔壁板２２を留める頭付きピン２３とで構成される。移動部材２１は、凸部２４、磁石２５、及び回転自在な車輪２６を有する。凸部２４は、ガイド基盤１２底部の凹部１９に係合し、且つ、凸部２４の下端からの移動部材２１の高さが、ガイド基盤１２内部の高さ（上下間隔）を超えないように、移動部材２１の下面に形成される。磁石２５は、移動部材２１の上面に、走行玩具Ａの磁石Ｂと吸引しあうように装着される。車輪２６は、移動部材２１の幅から車輪がはみ出さないように移動部材２１の前部両側と後部両側の４個所に設けられた切り欠き部２７内に取り付けられている。各隔壁板２２は、ガイド基盤１２の内寸の横断面よりわずかに小さく作られることにより、シリンダ１４の内部に供給される空気圧によって移動部材２１を移動させるピストンの働きをする。このピストンの働きをより確実にさせるため、隔壁板２２は４枚重ねられ、さらに、隣接する隔壁板２２間の隙間を開けるため、スペーサ２８が隔壁板２２の片面に一体に形成されている。隔壁板２２は、各隔壁板２２に開けられた穴２９に頭付きピン２３を通すことにより、移動部材２１の後部に留められる。移動部材２１は後述のようにガイド基盤１２の内部で長さ方向及び上下方向に移動可能とするため、各隔壁板２２の穴２９と頭付きピン２３との間に遊びを設けている。すなわち、穴２９はピン２３の径より大きく、且つ、ピン２３の頭部より小さい径に開けられる。
【００２５】
図６は移動体１１が始動位置にある時の状態を示す断面図、図７は移動体１１の上方に走行玩具Ａが位置した時の状態を示す断面図、図８は移動体１１が始動位置から急速に移動した後、停止位置にて停止した直後の状態を示す断面図である。
【００２６】
図６に示すように、移動体１１が始動位置にある時、移動部材２１の凸部２４はガイド基盤１２の凹部１９に係合している。この時、各隔壁板２２の穴２９と頭付きピン２３との間に遊びがあるため、移動部材２１と頭付きピン２３は前下がりに傾く。この状態で、遊戯者がベローズ４を押しつぶすことにより、チューブ７ａ又は７ｂから穴１５ａを通してシリンダ１４内に加圧空気を送り込むと、空気の圧力により隔壁板２２が押される。しかし、移動部材２１の凸部２４がガイド基盤１２の凹部１９に係合しているので、移動体１１は移動しない。
【００２７】
走行玩具Ａが人の手、或いは走行路３上を走行して移動部材２１の上方に位置すると、走行玩具Ａの磁石Ｂと移動部材２１の磁石２５との間に作用する吸引力により、走行玩具Ａは走行路３上で停止する。このとき、上記磁石間の吸引力で移動部材２１が上昇するので、図７に示すように、移動部材２１の凸部２４とガイド基盤１２の凹部１９との係合が解除される。移動部材２１の上昇に付随して頭付きピン２３も上方に移動するが、各隔壁盤２２の穴２９と頭付きピン２３の間に遊びがあるため、この動きが妨げられることはない。ここで、ベローズ４を押し、チューブ７ａ又は７ｂから穴１５ａを通してシリンダ１４内に加圧空気を送り込むと、空気の圧力により隔壁板２２が押され、移動体１１は始動位置から停止位置まで急速に移動させられる。同時に、移動部材２１に引き付けられている走行玩具Ａも、走行路３上で走行し始める。移動部材２１は、ガイド蓋１３の天井面に沿って車輪２６を回転させながら移動することで、移動時の抵抗を減らしている。隔壁板２２の前方にある空気は、ガイド基盤１２の抜き穴１８及びガイド蓋１３の抜き穴１６を通って外へ出る。その後、移動体１１の前端がガイド基盤１２の端面に当たって停止位置にて停止した時、図８に示すように、走行路３上を走行している走行玩具Ａは磁石間の吸引力を振り切って前方に走行し続ける。この発進動作は、移動部材２１と走行玩具Ａの磁石が互いに吸引している（すなわち、移動部材２１の上方に位置している）ときでなければ行われないので、走行玩具が所定位置にないときに起動装置１が作動する空打ちを防止することができる。
【００２８】
走行玩具Ａが前方に離れてしまうと、移動部材２１を上方へ吸引する力が消失するので、移動部材２１は降下する。移動部材２１の凸部２４がガイド基盤１２の底部に当接しても、移動体１１は移動することができる。この状態で、遊戯者がベローズ４を押す力を除去すれば、ベローズ４はそれ自体の復元力によって元の伸張状態に復帰する。このとき、ベローズ４が、チューブ７ａ又は７ｂから穴１５ａを通してシリンダ１４内の空気を吸い込むことで、隔壁板２２を吸引する。シリンダ１４内の停止位置側の空間には、ガイド基盤１２の抜き穴１８及びガイド蓋１３の抜き穴１６を通して空気が流入する。移動体１１が始動位置に復帰すると、移動部材２１の凸部２４がガイド基盤１２の凹部１９に係合する。
【００２９】
以上、実施例について説明したが、起動装置を構成する移動部材、付勢手段、係止手段は図示のものに限らず、同様の機能を有するものであれば任意の構成でよい。また、実施例の走行玩具と移動部材の磁石は互いに引き合う磁性体であるが、いずれか一方の磁石を鉄板のような磁性体に代えてもよい。
【００３０】
走行盤２ａ上での走行玩具Ａの走行速度が速すぎると、磁石の吸引力で走行玩具Ａを停止させられない場合があるが、これもレーシング玩具での遊びの一つであり、走行玩具を連続走行させることができる。
【図面の簡単な説明】
【図１】本発明の起動装置を組み込んだレーシング玩具を上方から見た斜視図。
【図２】図１の走行盤及びそれに接続した付勢手段を上方から見た斜視図。
【図３】本発明の起動装置を分解したところを上方から見た斜視図。
【図４】本発明の起動装置を分解したところを下方から見た斜視図。
【図５】移動体の分解図。
【図６】図３の線VI−VIに沿った断面図。
【図７】図６の移動部材の上方に走行玩具を載せた状態を示す図。
【図８】図７の移動部材を停止位置まで移動させた直後の図。
【符号の説明】
１…起動装置、２，２ａ…走行盤、３，３ａ，３ｂ，３ｃ，３ｄ…走行路、４…ベローズ、５，７ａ，７ｂ…チューブ、６…分岐部、１１…移動体、１２…ガイド基盤、１３…ガイド蓋、１４…シリンダ、１５…突起、１５ａ…穴、１６，１７，１８…抜き穴、１９…凹部、２１…移動部材、２２…隔壁板、２３…頭付きピン、２４…凸部、２５…磁石、２６…車輪、２７…切り欠き部、２８…スペーサ、２９…穴、Ａ…走行玩具、Ｂ…磁石。
【図１】
0003816190.tif 000002
【図２】
0003816190.tif 000003
【図３】
0003816190.tif 000004
【図４】
0003816190.tif 000005
【図５】
0003816190.tif 000006
【図６】
0003816190.tif 000007
【図７】
0003816190.tif 000008
【図８】
0003816190.tif 000009